【手続補正書】
【提出日】平成19年5月15日(2007.5.15)
【手続補正１】
【補正対象書類名】明細書
【補正対象項目名】特許請求の範囲
【補正方法】変更
【補正の内容】
【特許請求の範囲】
【請求項１】
電気モータ（３２）の少なくとも１つの駆動データ値を不揮発性に記憶するための方法であって、
前記電気モータは、そのコミュテーションを制御するマイクロプロセッサまたはマイクロコントローラ（２３）（以下マイクロプロセッサと称する）と、マイクロプロセッサ（２３）に配属された不揮発性メモリ（７４）とを有する形式の方法において、
モータ（３２）をスイッチオンする際、古い駆動データ値を、マイクロプロセッサ（２３）に配属された不揮発性メモリ（７４）から、マイクロプロセッサ（２３）に配属された揮発性メモリ（９７）に伝送し、そこに変数として記憶し、
該変数をマイクロプロセッサ（２３）により所定の時点で更新し、
時間間隔をおいて、マイクロプロセッサ（２３）に配属された不揮発性メモリ（７４）に記憶された駆動データ値を、前記変数の更新された値により置換する、
ことを特徴とする方法。
【請求項２】
前記所定の時点は、コミュテーション過程間の時間領域にある、請求項１記載の方法。
【請求項３】
古い駆動データ値をリセット後に、マイクロプロセッサ（２３）に配属された不揮発性メモリ（７４）から、マイクロプロセッサ（２３）に配属された揮発性メモリ（９７）に伝送し、そこに変数として記憶する、請求項１または２記載の方法。
【請求項４】
変数の更新値をリセット過程の際に、古い駆動データ値として、マイクロプロセッサ（２３）に配属された不揮発性メモリ（７４）に伝送する、請求項１から３までのいずれか１項記載の方法。
【請求項５】
マイクロプロセッサ（２３）に配属された不揮発性メモリ（７４）に記憶された駆動データ値はデータ接続路（８２）を介して問い合わせ可能である、請求項１から４までのいずれか１項記載の方法。
【請求項６】
マイクロプロセッサ（２３）に配属された不揮発性メモリ（７４）に記憶された駆動データ値の問い合わせを、データ接続路（８２）を介してマイクロプロセッサ（２３）により制御する、請求項５記載の方法。
【請求項７】
モータに温度センサ（１５２）を配属し、
該温度センサ（１５２）により検出された温度（Ｔ）の極値（ＯＤ＿ＴＭ）を駆動データ値（図８：ＯＤ＿ＴＭＡＸ）として、マイクロプロセッサ（２３）に配属された不揮発性メモリ（７４）に記憶する、請求項１から６までのいずれか１項記載の方法。
【請求項８】
モータ（３２）はＡ／Ｄ変換器を有し、
該Ａ／Ｄ変換器によりアナログ電圧がデジタル値に変換され、
当該Ａ／Ｄ変換器により変換された電圧の極値（ＯＤ＿ＵＢＭ）を駆動データ値（図８：ＯＤ＿ＵＢＭＡＸ）として、マイクロプロセッサ（２３）に配属された不揮発性メモリ（７４）に記憶する、請求項１から７までのいずれか１項記載の方法。
【請求項９】
コミュテーションの数に相応する値（ＯＤ＿ＣＯＭＭ）を駆動データ値（図８：ＯＤ＿ＣＯＭＭＵＴ）として、マイクロプロセッサ（２３）に配属された不揮発性メモリ（７４）に記憶する、請求項１から８までのいずれか１項記載の方法。
【請求項１０】
モータ（３２）の駆動持続時間（ＯＤ＿ＯＨ）を、駆動時間カウンタの形式に従って駆動データ値（図８：ＯＤ＿ＯＨＯ）として、マイクロプロセッサ（２３）に配属された不揮発性メモリ（７４）に記憶する、請求項１から９までのいずれか１項記載の方法。
【請求項１１】
モータ（３２）のスタート時に複数の駆動データ値を、マイクロプロセッサ（２３）に配属された不揮発性メモリ（７４）から、マイクロプロセッサ（２３）に配属された揮発性メモリ（ＲＡＭ９７）の所属の変数にロードし、次いでマイクロプロセッサ（２３）により更新する、請求項１から１０までのいずれか１項記載の方法。
【請求項１２】
電気モータであって、
当該電気モータのコミュテーションを制御するマイクロプロセッサまたはマイクロコントローラ（２３）（以下マイクロプロセッサと称する）；
マイクロプロセッサ（２３）に配属された揮発性メモリ（９７）；
マイクロプロセッサ（２３）に配属された不揮発性メモリ（７４）；及び
マイクロプロセッサ（２３）に配属され、電気モータ（３２）の少なくとも１つの駆動データ値を不揮発性に記憶するためのプログラムであって、モータ（３２）をスイッチオンする際、古い駆動データ値を、マイクロプロセッサ（２３）に配属された不揮発性メモリ（７４）から、マイクロプロセッサ（２３）に配属された揮発性メモリ（９７）に伝送し、そこで変数として記憶し；該変数をマイクロプロセッサ（２３）により所定の時点で更新し；時間間隔をおいて、マイクロプロセッサ（２３）に配属された不揮発性メモリ（７４）に記憶された駆動データ値を、前記変数の更新された値により置換するプログラム
を含む電気モータ。
【請求項１３】
データ収集線路（８２）が設けられており、
該データ収集線路を介して、マイクロプロセッサ（２３）に配属された不揮発性メモリ（７４）に記憶されたデータへのアクセスおよび／またはデータの当該マイクロプロセッサ（２３）に配属された不揮発性メモリ（７４）への記憶が可能である、請求項１２記載の電気モータ。
【手続補正２】
【補正対象書類名】明細書
【補正対象項目名】０００６
【補正方法】変更
【補正の内容】
【０００６】
【発明の実施の形態】
本発明のさらなる詳細および有利な展開形態は、以下の説明および図面に示された、本発明の限定として理解すべきではない実施例、並びに従属請求項から得られる。なお、特許請求の範囲に付した図面参照符号は専ら発明の理解を助けるためのものに過ぎず、本発明を図示の態様に限定することは意図していない。
ここに、本発明の好ましい実施の形態を示す：
・  本発明の第１の視点により、電気モータの少なくとも１つの駆動データ値を不揮発性に記憶するための方法であって、
前記電気モータは、そのコミュテーションを制御するマイクロプロセッサまたはマイクロコントローラ（以下マイクロプロセッサと称する）と、マイクロプロセッサに配属された不揮発性メモリとを有する形式の方法が提供される。この方法において、
モータをスイッチオンする際、古い駆動データ値を、マイクロプロセッサに配属された不揮発性メモリから、マイクロプロセッサに配属された揮発性メモリに伝送し、そこに変数として記憶し、
該変数をマイクロプロセッサにより所定の時点で更新し、
時間間隔をおいて、マイクロプロセッサに配属された不揮発性メモリに記憶された駆動データ値を、前記変数の更新された値により置換する、ことを特徴とする方法（形態１・基本構成１）。
・  上記の方法において、前記所定の時点は、コミュテーション過程間の時間領域にあることが好ましい（形態２）。
・  上記の方法において、古い駆動データ値をリセット後に、マイクロプロセッサに配属された不揮発性メモリから、マイクロプロセッサに配属された揮発性メモリに伝送し、そこに変数として記憶することが好ましい（形態３）。
・  上記の方法において、変数の更新値をリセット過程の際に、古い駆動データ値として、マイクロプロセッサに配属された不揮発性メモリに伝送することが好ましい（形態４）。
・  上記の方法において、マイクロプロセッサに配属された不揮発性メモリに記憶された駆動データ値はデータ接続路を介して問い合わせ可能であることが好ましい（形態５）。
・  上記の方法において、マイクロプロセッサに配属された不揮発性メモリに記憶された駆動データ値の問い合わせを、データ接続路を介してマイクロプロセッサにより制御することが好ましい（形態６）。
・  上記の方法において、モータに温度センサを配属し、
該温度センサにより検出された温度の極値を駆動データ値として、マイクロプロセッサに配属された不揮発性メモリに記憶することが好ましい（形態７）。
・  上記の方法において、モータはＡ／Ｄ変換器を有し、
該Ａ／Ｄ変換器によりアナログ電圧がデジタル値に変換され、
当該Ａ／Ｄ変換器により変換された電圧の極値を駆動データ値として、マイクロプロセッサに配属された不揮発性メモリに記憶することが好ましい（形態８）。
・  上記の方法において、コミュテーションの数に相応する値を駆動データ値として、マイクロプロセッサに配属された不揮発性メモリに記憶することが好ましい（形態９）。
・  上記の方法において、モータの駆動持続時間を、駆動時間カウンタの形式に従って駆動データ値として、マイクロプロセッサに配属された不揮発性メモリに記憶することが好ましい（形態１０）。
・  上記の方法において、モータのスタート時に複数の駆動データ値を、マイクロプロセッサに配属された不揮発性メモリから、マイクロプロセッサに配属された揮発性メモリの所属の変数にロードし、次いでマイクロプロセッサにより更新することが好ましい（形態１１）。
・  本発明の第２の視点において、電気モータであって、
当該電気モータのコミュテーションを制御するマイクロプロセッサまたはマイクロコントローラ（以下マイクロプロセッサと称する）；
マイクロプロセッサに配属された揮発性メモリ；
マイクロプロセッサに配属された不揮発性メモリ；及び
マイクロプロセッサに配属され、電気モータの少なくとも１つの駆動データ値を不揮発性に記憶するためのプログラムであって、モータをスイッチオンする際、古い駆動データ値を、マイクロプロセッサに配属された不揮発性メモリから、マイクロプロセッサに配属された揮発性メモリに伝送し、そこで変数として記憶し；該変数をマイクロプロセッサにより所定の時点で更新し；時間間隔をおいて、マイクロプロセッサに配属された不揮発性メモリに記憶された駆動データ値を、前記変数の更新された値により置換するプログラム
を含む電気モータが提供される（形態１２・基本構成２）。
・  上記の電気モータにおいて、データ収集線路が設けられており、該データ収集線路を介して、マイクロプロセッサに配属された不揮発性メモリに記憶されたデータへのアクセスおよび／またはデータの当該マイクロプロセッサに配属された不揮発性メモリへの記憶が可能であることが好ましい（形態１３）。